(57)【要約】【課題】積層固定子鉄心の結束方法を改善してうず電流損失を減少させる。【解決手段】回転電機用に所定形状に形成した固定子鉄心片を所望の厚さに積層し、パイプかしめ、クランプ等により結束して外面円筒状の固定子鉄心を形成する場合に、固定子鉄心の結束部位を固定子鉄心の周方向に等間隔で、且つ隣り合う結束部位間のなす中心角が組み合わせる回転子の２磁極分のなす中心角の整数倍となるように配置する。【選択図】図１
2007236067.tif 000002
【特許請求の範囲】
【請求項１】
回転電機用に所定形状に形成した固定子鉄心片を所望の厚さに積層し、パイプかしめ、外周溶接、クランプ等により結束して構成した外面円筒状の固定子鉄心において、
固定子鉄心の結束部位を、固定子鉄心の周方向に等間隔で、且つ隣り合う結束部位間のなす中心角が組み合わせる回転子の２磁極分のなす中心角の整数倍となるように配置したことを特徴とする固定子鉄心。
【請求項２】
回転電機用に所定形状に形成した固定子鉄心片を所望の厚さに積層し、パイプかしめ、外周溶接、クランプ等により結束して構成した外面円筒状の固定子鉄心において、
組み合わせる回転子の磁極数が１０である場合には、固定子巻線を通すスロットの数を３０とし、固定子鉄心の結束部位は固定子鉄心の周方向に等間隔でその数を６としたことを特徴とする固定子鉄心。
【請求項３】
回転電機用に所定形状に形成した固定子鉄心片を所望の厚さに積層し、パイプかしめ、外周溶接、クランプ等により結束して構成した外面円筒状の固定子鉄心において、
組み合わせる回転子の磁極数が２０である場合には、固定子巻線を通すスロットの数を６０とし、固定子鉄心の結束部位は固定子鉄心の周方向に等間隔でその数を１２としたことを特徴とする固定子鉄心。
【請求項４】
回転電機用に所定形状に形成した固定子鉄心片を所望の厚さに積層し、パイプかしめ、外周溶接、クランプ等により結束して構成した外面円筒状の固定子鉄心において、
組み合わせる回転子の磁極数が１４である場合には、固定子巻線を通すスロットの数を４２とし、固定子鉄心の結束部位は固定子鉄心の周方向に等間隔でその数を６としたことを特徴とする固定子鉄心。
【請求項５】
請求項１乃至４の何れかに記載の固定子鉄心において、前記結束部位の隣り合う結束部位の中間位置に、周方向に延びる周方向スリットを軸方向に貫通して設け、該周方向スリットに磁性を有する剛体板を軸方向に貫通して圧入したことを特徴とする固定子鉄心。
【請求項６】
請求項５に記載の固定子鉄心において、前記周方向スリットに圧入する剛体板は、固定子鉄心の軸方向長さより長くして両端面よりはみ出させ、該はみ出させた部分を折り曲げて固定子鉄心の両端面に密着させたことをと特徴とする固定子鉄心。
【請求項７】
請求項６に記載の固定子鉄心において、固定子鉄心の両端面位置に積層した前記固定子鉄心片は、他の層の固定子鉄心片より板厚を厚くしたことを特徴とする固定子鉄心。
【請求項８】
回転電機用に所定形状に形成した固定子鉄心片を所望の厚さに積層し、パイプかしめ、クランプ等により結束して構成した外面円筒状の固定子鉄心において、
前記各結束部位を固定子鉄心の外周面より内側に入った部分に設け、該結束部位と固定子鉄心の外周面との間部分に径方向に延びる径方向スリットを軸方向に貫通して設けたことを特徴とする固定子鉄心。
【請求項９】
請求項８に記載の固定子鉄心において、前記径方向スリットには、更に非磁性の剛体板を軸方向に貫通して圧入したことを特徴とする固定子鉄心。
【請求項１０】
請求項９に記載の固定子鉄心において、前記径方向スリットの断面形状は、固定子鉄心の外周面側を丸みを帯びた形状とし、前記非磁性の剛体板として長手方向幅が前記径方向スリットの矩形断面部の長手方向長さより長い板を使用したことを特徴とする固定子鉄心。
【請求項１１】
請求項８に記載の固定子鉄心において、前記径方向スリットは固定子鉄心の外周面に達する開放スリットに形成し、該開放スリットの開放部を塞ぐように開放部両側の鉄心部間に溶接を施したことを特徴とする固定子鉄心。
【請求項１２】
請求項８に記載の固定子鉄心において、前記径方向スリットは固定子鉄心の外周面に達する開放スリットに形成し、該開放スリットに非磁性の剛体板を軸方向に貫通して装着し、該剛体板の固定子鉄心外周側端部と前記開放スリットの開放部両側の鉄心部とを一体に溶接したことを特徴とする固定子鉄心。
【請求項１３】
請求項１乃至１２の何れかに記載の固定子鉄心を用いて構成したことを特徴とする回電機。
【発明の詳細な説明】
【技術分野】
【０００１】
本発明は、電磁鋼板を打ち抜いて形成した固定子鉄心片を積層して製造する回転電機の固定子鉄心に関し、特には積層する固定子鉄心片をうず電流損失が少なくなるように結束する技術に関する。
【背景技術】
【０００２】
一般的な回転電機の固定子鉄心は、薄い電磁鋼板を主にプレスによって所望の形状に打ち抜き、打ち抜きでできた固定子鉄心片を所望の厚さに積層して製造される。その際、積層した鉄心片がバラけないように、鉄心片どうしは結束して一体化される。結束方法としては、溶接、クランプ、かしめなどがある。
【０００３】
ところで、固定子鉄心片の材料に薄い鋼板を使用する理由は、固定子鉄心内を通る交番磁束により固定子鉄心の積層方向に誘起されるうず電流を遮断するためである。そのうず電流遮断のために、固定子鉄心片を積層して鉄心片間の接触抵抗を利用したり、あるいは、より積極的に鉄心片表面に絶縁層をコーティングしたりしている。
【０００４】
しかしながら鉄心片を一体化するための結束は、鉄心片どうしを局所的ながら導通させる。このため結束個所が２つ以上存在すると、その結束部位と鉄心片素材とにより閉ループの電流経路が形成され、うず電流が流れる得ることになる。図１７は従来の回転電機の断面の一例である。この回転電機１００は、内側に永久磁石１０１を備えた４極の回転子１０２を、外側に固定子鉄心１０３を有する内転型回転電機である。固定子鉄心１０３は、図に示す断面と同じ形状に打ち抜いた固定子鉄心片１０４を積層し、４個所の結束部位１０５にパイプかしめを施して結束してある。固定子鉄心１０３の内側寄りには軸方向に貫通する１２個のスロット１０６が形成されており、内部には固定子コイルの巻線が通されている。
【０００５】
パイプかしめは、積層した固定子鉄心片１０４に設けたかしめ用孔にパイプを挿入し、そのパイプの内側にピンを圧入してパイプを拡管して行なわれる。孔の内面とパイプとが当接し、その摩擦力で積層した固定子鉄心片１０４を束ねる結束力が生まれる。固定子鉄心片１０４に設けた孔とパイプを当接させるため、積層した固定子鉄心片１０４はパイプにより電気的に短絡される。結束部位１０５以外の部分では、固定子鉄心片１０４は接触抵抗や絶縁コーティングにより相互に絶縁されている。こうした構造から固定子鉄心１０３には、積層した固定子鉄心片１０４の結束部位１０５以外の部分と４本の結束用パイプからなる多数の閉ループ状電流経路が存在する。
【０００６】
図１７には、回転子１０２に取り付けた永久磁石１０１の作る磁束が点線と矢印で示してある。永久磁石１０１の作る磁束は固定子鉄心１０３に入り、スロット１０６の周りを回って再び回転子１０２に戻る閉曲線を描く。その磁束の一部は、図中の結束部位１０５近くに描いた太線矢印１０７が示すように、結束部位１０５と固定子鉄心１０３の外周面との間を通る。この結束部位１０５の外側を通って回転子１０２に戻る磁束は、隣り合う２つの結束部位１０５に通したパイプと、固定子鉄心片１０４のその間の部位とで構成される閉ループ状電流経路に鎖交する。
【０００７】
うず電流は、この閉ループ電流経路の断面方向に鎖交する磁束鎖交数が変化すると閉ループに電流を流す起電力が発生することで生ずる。図１７に示した従来の回転電機１００では、回転子１０２が回転するとその磁束鎖交数が変化する。そのため回転子１０２が回転すると固定子鉄心１０３内部にうず電流が流れる。
【０００８】
パイプかしめによる結束は、固定子鉄心１０３の外周面より内側に入った位置に施される。これに対して溶接、クランプによる結束は、固定子鉄心１０３の外周面でなされる。外周面で結束した場合は、その外側には鉄心部位が存在しないため磁束が通らずうず電流は発生しないように思われる。しかし実際の回転電機では、固定子鉄心１０３は鉄のフレームに固定されるため、固定子鉄心１０３の外周側にも磁束を通しやすい構造物が存在する。そのため溶接、クランプによる結束の場合でも、うず電流は少なからず発生する。
【０００９】
うず電流はその流路に沿った抵抗による発熱を伴い、鉄心の損失を増加させる。最近の回転電機は、小型、高速回転が求められる機種が増えている。うず電流損失は回転数の２乗で増加する。このため、高速回転の機種ではうず電流損失が桁違いに増加して効率、熱的に許容できない状況が生じる。こうしたことから積層固定子鉄心のうず電流損失を大幅に減少させることのできる結束方法が求められている。
【発明の開示】
【発明が解決しようとする課題】
【００１０】
本発明は、こうした従来技術の問題点を解決するためになされたもので、その課題は、積層固定子鉄心の結束方法を改善してうず電流損失を大幅に減少させた固定子鉄心、及びそれを使用した回転電機を提供することにある。
【課題を解決するための手段】
【００１１】
前記課題を解決するための請求項１に記載の発明は、回転電機用に所定形状に形成した固定子鉄心片を所望の厚さに積層し、パイプかしめ、外周溶接、クランプ等により結束して構成した外面円筒状の固定子鉄心において、固定子鉄心の結束部位を、固定子鉄心の周方向に等間隔で、且つ隣り合う結束部位間のなす中心角が組み合わせる回転子の２磁極分のなす中心角の整数倍となるように配置したことを特徴とする固定子鉄心である。
【００１２】
このような構成によれば、固定子鉄心の隣り合う結束部位間における磁束分布が同じとなり、隣り合う結束部位とそれら結束部位間の鉄心部分により形成される閉ループ電流経路に鎖交する磁束鎖交数が時間的に変化しなくなる。このためその閉ループを流れるうず電流の発生を抑えることができる。
【００１３】
また、請求項２に記載の発明は、回転電機用に所定形状に形成した固定子鉄心片を所望の厚さに積層し、パイプかしめ、外周溶接、クランプ等により結束して構成した外面円筒状の固定子鉄心において、組み合わせる回転子の磁極数が１０である場合には、固定子巻線を通すスロットの数を３０とし、固定子鉄心の結束部位は固定子鉄心の周方向に等間隔でその数を６としたことを特徴とする固定子鉄心である。
【００１４】
このような構成によれば、結束部位に一番近いスロットに巻かれるＵ相、Ｖ相、Ｗ相のコイル数が同じとなることから、各相コイルのインダクタンスは同じ値となり不平衡が生じなくなる。また、隣り合う結束部位間がなす中心角内に存在する回転子磁極数が２に近い数値となることから、固定子鉄心の隣り合う結束部位間における磁束分布が類似したものとなる。このため隣り合う結束部位とそれら結束部位間の鉄心部分により形成される閉ループ電流経路に鎖交する磁束鎖交数の時間的変化が小さくなり、その閉ループを流れるうず電流の発生が少なくなる効果を奏する。
【００１５】
また、請求項３に記載の発明は、回転電機用に所定形状に形成した固定子鉄心片を所望の厚さに積層し、パイプかしめ、外周溶接、クランプ等により結束して構成した外面円筒状の固定子鉄心において、組み合わせる回転子の磁極数が２０である場合には、固定子巻線を通すスロットの数を６０とし、固定子鉄心の結束部位は固定子鉄心の周方向に等間隔でその数を１２としたことを特徴とする固定子鉄心である。
【００１６】
このような構成の固定子鉄心の場合も、請求項２に記載の固定子鉄心と同様の作用により同様の効果を奏する。
【００１７】
また、請求項４に記載の発明は、回転電機用に所定形状に形成した固定子鉄心片を所望の厚さに積層し、パイプかしめ、外周溶接、クランプ等により結束して構成した外面円筒状の固定子鉄心において、組み合わせる回転子の磁極数が１４である場合には、固定子巻線を通すスロットの数を４２とし、固定子鉄心の結束部位は固定子鉄心の周方向に等間隔でその数を６としたことを特徴とする固定子鉄心である。
【００１８】
このような構成の固定子鉄心の場合も、請求項２に記載の固定子鉄心と同様の作用により同様の効果を奏する。
【００１９】
また、請求項５に記載の発明は、請求項１乃至４の何れかに記載の固定子鉄心において、前記結束部位の隣り合う結束部位の中間位置に、周方向に延びる周方向スリットを軸方向に貫通して設け、該周方向スリットに磁性を有する剛体板を軸方向に貫通して圧入したことを特徴とする固定子鉄心である。
【００２０】
このような構成の固定子鉄心は、対応する請求項に記載の固定子鉄心と同様の効果を奏する。加えて、うず電流を増加させることなく固定子鉄心の結束力を一層高めることができる。
【００２１】
また、請求項６に記載の発明は、請求項５に記載の固定子鉄心において、前記周方向スリットに圧入する剛体板は、固定子鉄心の軸方向長さより長くして両端面よりはみ出させ、該はみ出させた部分を折り曲げて固定子鉄心の両端面に密着させたことを特徴とする固定子鉄心である。
【００２２】
このような構成の固定子鉄心は、請求項６に記載の固定子鉄心と同様の効果を奏する。加えて、剛体板の両端を折り曲げて面圧を積層方向に加えるようにしたため、固定子鉄心片が薄い場合においても十分な結束力を確保することができる。
【００２３】
また、請求項７に記載の発明は、請求項６に記載の固定子鉄心において、固定子鉄心の両端面位置に積層した前記固定子鉄心片は、他の層の固定子鉄心片より板厚を厚くしたことを特徴とする固定子鉄心である。
【００２４】
このような構成の固定子鉄心は、請求項６に記載の固定子鉄心と同様の効果を奏する。加えて、最外層の固定子鉄心片の板厚を厚くしたため結束力が更に強化される。また、中間層には極めて薄い固定子鉄心片を使用できることから、うず電流損失を一層減少させることができる。
【００２５】
また、請求項８に記載の発明は、回転電機用に所定形状に形成した固定子鉄心片を所望の厚さに積層し、パイプかしめ、クランプ等により結束して構成した外面円筒状の固定子鉄心において、前記各結束部位を固定子鉄心の外周面より内側に入った部分に設け、該結束部位と固定子鉄心の外周面との間部分に径方向に延びる径方向スリットを軸方向に貫通して設けたことを特徴とする固定子鉄心である。
【００２６】
このような構成にした場合、径方向スリット内の空隙は透磁率が低いため磁気抵抗が大きくなって磁束の通過を妨げる。これにより結束部位を一周する磁束は少なくなり、隣り合う結束部位間に形成される閉ループ電流経路に鎖交する磁束が減少してうず電流の発生が少なくなる効果を奏する。
【００２７】
また、請求項９に記載の発明は、請求項８に記載の固定子鉄心において、前記径方向スリットには、更に非磁性の剛体板を軸方向に貫通して圧入したことを特徴とする固定子鉄心である。
【００２８】
非磁性の剛体板を圧入した径方向スリットは透磁率が低いため磁気抵抗が大きくなって磁束の通過を妨げる。これにより結束部位を一周する磁束は少なくなり、隣り合う結束部位間に形成される閉ループ電流経路に鎖交する磁束が減少してうず電流の発生が少なくなる効果を奏する。また、剛体板を圧入するため、剛体板表面とスリット内面との摩擦により固定子鉄心の結束力が高まる効果を奏する。
【００２９】
また、請求項１０に記載の発明は、請求項９に記載の固定子鉄心において、前記径方向スリットの断面形状は、固定子鉄心の外周面側を丸みを帯びた形状とし、前記非磁性の剛体板として長手方向幅が前記径方向スリットの矩形断面部の長手方向長さより長い板を使用したことを特徴とする固定子鉄心である。
【００３０】
このような構成の固定子鉄心は、請求項９に記載の固定子鉄心と同様の効果を奏する。加えて、径方向スリットと固定子鉄心の外周面間に残る鉄心部分（架橋部）が押し曲がってスリット幅を収縮させるため、剛体板と固定子鉄心とを密着度が向上する。そのため剛体板表面とスリット内面との摩擦力が高まり、固定子鉄心の結束力が一層強まる効果を奏する。
【００３１】
また、請求項１１に記載の発明は、請求項８に記載の固定子鉄心において、前記径方向スリットは固定子鉄心の外周面に達する開放スリットに形成し、該開放スリットの開放部を塞ぐように開放部両側の鉄心部間に溶接を施したことを特徴とする固定子鉄心である。
【００３２】
このような構成の固定子鉄心は、請求項８に記載の固定子鉄心と同様の効果を奏する。加えて、溶接により径方向スリットの端部及びその周辺部の鉄心が溶融収縮するため、強度が向上するとともにメインの結束部位に収縮応力を発生させて結束力を強める効果を奏する。
【００３３】
また、請求項１２に記載の発明は、請求項８に記載の固定子鉄心において、前記径方向スリットは固定子鉄心の外周面に達する開放スリットに形成し、該開放スリットに非磁性の剛体板を軸方向に貫通して装着し、該剛体板の固定子鉄心外周側端部と前記開放スリットの開放部両側の鉄心部とを一体に溶接したことを特徴とする固定子鉄心である。
【００３４】
このような構成の固定子鉄心は、請求項８に記載の固定子鉄心と同様の効果を奏する。加えて、溶接により径方向スリットの端部及びその周辺部の鉄心が溶融収縮するため、強度が向上するとともにメインの結束部位に収縮応力を発生させてその結束力を強める効果を奏する。
【００３５】
また、請求項１３に記載の発明は、請求項１乃至１２の何れかに記載の固定子鉄心を用いて構成したことを特徴とする回電機である。
このような構成の回電機は、うず電流損失が少なくなる効果を奏する。
【発明を実施するための最良の形態】
【００３６】
以下、本発明に係る回電機の固定子鉄心、及びその固定子鉄心を用いて構成した回転電機の例について実施形態に分けて説明する。
（第１の実施形態）
図１は、第１の実施形態に係る回転電機１の回転中心軸（軸芯）２に直角な断面図である。この回転電機１は、固定子３の内側で回転子４が回転する内転型回転電機である。図では、固定子３、回転子４を収容するハウジングは省略してある。回転子４は、円筒状回転子鉄心６の表面に４極の永久磁石７を装着した表面磁石構造にしてある。
【００３７】
固定子３は、固定子鉄心９と電機子コイルから成る。固定子鉄心９は外面円筒状で、その内表面寄り部分には１２個のスロット１１が軸方向に貫通して設けてある。スロット１１は、内表面側が僅かに開口しており、内部には電機子コイルを構成する巻線が通っている。隣り合うスロット１１間に残された鉄心部分は、磁極歯１２を形成している。固定子鉄心９は、電磁鋼板を図に示す固定子鉄心９の断面と同じ形状に打ち抜いた固定子鉄心片１３を所定枚数積層したものである。積層した固定子鉄心片１３は、ずれないように結束してある。本実施形態の固定子鉄心９では、外表面から少し内に入った２個所の結束部位１５ａ、１５ｂにパイプかしめを施して結束してある。
【００３８】
パイプかしめは、固定子鉄心片１３を打ち抜く際にかしめ用孔を結束部位１５ａ、１５ｂに形成しておき、固定子鉄心片１３を積層した後にその孔にパイプを挿入する。そして、そのパイプ内側にピンを圧入してパイプを拡管して完成させる。パイプの拡管により、孔内面とパイプが当接し、その摩擦力で結束力が生まれる。
【００３９】
ところで、パイプかしめに使用したパイプは、積層した固定子鉄心片間を電気的に短絡させる。このような電気的短絡はパイプかしめ以外の結束方法、例えば、パイプを使用しないで金属棒あるいは金属板を孔に圧入する結束方法、特別な結束部材を用いないで積層した２枚の固定子鉄心片間に嵌合による結合構造を設けて全体を結合させる結束方法、外周溶接などでも生ずる。
【００４０】
積層した固定子鉄心片１３は、表面間の接触抵抗や絶縁コーティングにより相互に絶縁されている。従って、パイプかしめ等により結束部位に固定子鉄心片間を電気的に短絡する経路が生ずると、隣り合う２つの結束部位と、それらの結束部位間の固定子鉄心片部分とにより閉ループ状の電流経路が形成される。図１で説明すれば、結束部位１５ａ、１５ｂにおいて、積層された固定子鉄心片１３はパイプかしめにより電気的に短絡される。結束部位１５ａ、１５ｂ以外の部分においては、積層された固定子鉄心片１３は相互に絶縁されている。従って、結束部位１５ａ、１５ｂのパイプと、結束部位１５ａから左回りに結束部位１５ｂに至る部分の積層された固定子鉄心片部分とにより多数の閉ループ電流経路が形成されている。同様に、結束部位１５ｂのパイプと、結束部位１５ｂから左回りに結束部位１５ａに至る部分の積層された固定子鉄心片部分とによっても多数の閉ループ電流経路が形成されている。
【００４１】
「背景技術」でも説明したように、この閉ループ電流経路に鎖交する磁束鎖交数が回転子４の回転により変化すると、その閉ループに電流を流す起電力が発生してうず電流が生ずる。閉ループ電流経路には回転子４に装着した永久磁石７の作る磁束の他に、電機子コイルを流れる電流が作る磁束も鎖交する。うず電流の発生を少なくするには、この多数の閉ループ電流経路に鎖交する磁束鎖交数が時間的に変化しないようにすればよい。
【００４２】
閉ループ電流経路に鎖交する磁束鎖交数の時間的変化を少なくするために、本実施形態の回転電機１では結束部位を２個所とし、その２個所の結束部位１５ａ、１５ｂを軸芯２に対称に配置している。回転子４の磁極は４極で、一対のＮ極、Ｓ極が軸芯２に対してなす中心角は１８０°である。隣り合う２つの結束部位１５ａ、１５ｂ間の鉄心部分が軸芯２に対してなす中心角も１８０°である。
【００４３】
図１には、回転子４の永久磁石７の作る磁束の磁路が点線と矢印で示してある。その磁束分布は、結束部位１５ａから左回りに結束部位１５ｂに至る鉄心部分と、結束部位１５ｂから左回りに結束部位１５ａに至る鉄心部分とでは、結束部位１５ａ、１５ｂ間の鉄心部分がなす中心角が回転子４の一対のＮ極、Ｓ極がなす中心角と一致しているために同じになっている。回転子４が回転すると永久磁石７による磁束分布は変化するが、結束部位１５ａから左回りに結束部位１５ｂに至る部分と、結束部位１５ｂから左回りに結束部位１５ａに至る部分との磁束分布は常に一致している。
【００４４】
回転子４の永久磁石７の作る磁束の磁路は、固定子鉄心９の両端面近くを除けば軸芯２に垂直な面内にあるので、その磁束成分のみを考える。その場合、閉ループ電流経路に鎖交する磁束は、軸芯２に平行に挿入された結束部位１５ａ、１５ｂのパイプを一周する磁路の磁束のみとなる。
【００４５】
結束部位１５ａから左回りに結束部位１５ｂに至る部分の閉ループ電流経路について検討する。図１の結束部位１５ａの回りに記した太線矢印１７ａに示すような磁路で、結束部位１５ａを一周する磁束が存在したとする。その磁束は、検討している閉ループ電流経路を外側（固定子鉄心９の外周側）から内側（軸芯２側）に向けて鎖交する磁束である。結束部位１５ａを一周する磁束が存在した場合には、前述した対称性から結束部位１５ｂにも太線矢印１７ｂで示すような磁路で結束部位１５ｂを一周する磁束が存在する。この磁束は、検討している閉ループ電流経路を内側から外側に向けて鎖交する磁束である。
【００４６】
これら外側と内側から鎖交する２つの鎖交磁束の対応する結束部位に対する分布は同じである。磁束の磁路は常に閉じたループ状となっている。こうしたことから、結束部位１５ａから左回りに結束部位１５ｂに至る部分の閉ループ電流経路を外側から内側に向けで鎖交する磁束と、内側から外側に鎖交する磁束とは、その鎖交数が常に同じとなる。従って、検討している閉ループ電流経路に鎖交する磁束の積分値である磁束鎖交数は理論上はゼロとなり、回転子４が回転しても変化しない。それ故、うず電流の発生は少なくなる。結束部位１５ｂから左回りに結束部位１５ａに至る部分の閉ループ電流経路についても同様であり、うず電流の発生は少なくなる。
【００４７】
上記は、回転子４に装着した永久磁石７の作る磁束についての説明であったが、スロット１１に通した電機子コイル巻線を流れる電流（電機子電流）が作る磁束についても同じことが言える。図１に示した回転電機１の電機子コイルの数は、スロット１１の数に等しく１２個である。電機子コイルが分布巻で巻かれている場合、各スロット１１には、例えば左回りに順にＵ相、Ｖ相、Ｗ相のコイル巻線が通される。電機子電流による磁束分布は、３個分のスロットのなす中心角毎に同じ分布を繰り返す。図１の固定子３は、隣り合う結束部位１５ａ、１５ｂ間の中心角はスロット１１の６個分の中心角に等しく、３個分の中心角の２倍となっている。
【００４８】
従って、電機子電流による磁束分布は、結束部位１５ａ付近と結束部位１５ｂ付近では同じ分布になる。このため、前述の回転子４に装着した永久磁石７の作る磁束の場合と同様に、結束部位１５ａを回って閉ループ電流経路を外側から内側に鎖交する磁束が存在したならば、それと同じ鎖交数の磁束が結束部位１５ｂを回って閉ループ電流経路を内側から外側に鎖交する。このことから閉ループ電流経路に鎖交する磁束の鎖交数は、電機子電流が変化したとしても変化しないことになり、電機子電流によるうず電流の発生は少なくなる。
【００４９】
このような理由により図１に示した回転子磁極数が４個である回転電機１においては、結束部位を２個とし、その隣り合う結束部位間がなす中心角を磁極２個分の中心角（この場合は１８０°）にすれば、軸芯２に垂直な磁束成分に起因するうず電流の発生を少なくすることができる。
【００５０】
図２は、回転子の磁極数が６個である回転電機１ａについて、同じくうず電流の発生が少なくなるように結束部位を配置した例である。コイル数（スロット数に等しい）は、磁極数６個の３倍の１８個としてある。結束部位は、周方向に等間隔で２０ａ、２０ｂ、２０ｃの３個所に設けてある。隣り合う結束部位間がなす中心角は、磁極２個分がなす中心角（この場合は１２０°）に等しくしてある。従って、結束部位２０ａから左回りに結束部位２０ｂに至る間と、結束部位２０ｂから左回りに結束部位２０ｃに至る間と、結束部位２０ｃから左回りに結束部位２０ａに至る間の３区間の磁束分布は、回転子の回転、電機子電流の変化に関わらず常に同じとなる。従って、図１について説明したと同様の理由により、それら結束部位間に存在する閉ループ電流経路に鎖交する磁束鎖交数は時間的に変化しなくなり、うず電流の発生は少なくなる。
【００５１】
以上は、回転子の磁極数が４個と６個の回転電機についての説明であるが、一般的に回転子の磁極数がＮ個（Ｎは２の倍数）である回転電機については、結束部位間の間隔を等間隔とし、隣り合う結束部位間がなす中心角を回転子磁極の２個分がなす中心角の整数倍となるようにして結束を行なえばよい。そうすれば、回転子に装着した永久磁石の作る磁束分布は、隣り合う結束部位間で同じとなる。
【００５２】
電機子電流による磁束については、電機子コイルの数（スロット数に等しい）は磁極２個分がなす中心角の間に６個、１２個、１８個と（２×３）の倍数とされることから、隣り合う結束部位間にはＵ相、Ｖ相、Ｗ相が同じように配置される。従って、電機子電流による磁束分布も、各隣り合う結束部位間で同じとなる。隣り合う結束部位間の磁束分布が同じとなれば、隣り合う結束部位における短絡路とそれら結束部位間の鉄心部分により形成される閉ループ電流経路に鎖交する磁束鎖交数は時間的に変化しなくなる。このため、その閉ループを流れるうず電流の発生は少なくなる。
【００５３】
（第２の実施形態）
前記第１の実施形態では、うず電流を発生させずに固定子鉄心の結束力を確保できる結束部位の決め方について説明した。そして、そのためには結束部位間の間隔を等間隔とし、隣り合う結束部位間がなす中心角を回転子磁極の２個分がなす中心角の整数倍となるようにして結束を行なえばよいことを説明した。
【００５４】
しかしながら、このようにうず電流の発生を抑えることのみを考慮に入れて結束部位を決めると、他の面でマイナス効果が表れる場合がある。そのマイナス効果を前述の図２に示した回転電機１ａについて説明する。回転電機１ａの１８個のスロット１９に、結束部位２０ａに一番近いスロット１９ａから左周りに順にＵ相、Ｖ相、Ｗ相のコイル巻線を巻いたとする。すると、図２中に示したように結束部位２０ａに一番近いスロット１９ａ、結束部位２０ｂに一番近いスロット１９ｂ、結束部位２０ｃに一番近いスロット１９ｃには、共に同じＵ相のコイル巻線が通されることになる。図２に示す回転電機１ａに限らず、隣り合う結束部位間のなす中心角が磁極２個分のなす中心角の整数倍となるように結束部位を配置した場合には、各結束部位に一番近いスロットには同じ相の巻線が巻かれることになる。
【００５５】
結束部位におけるかしめ構造は磁束を通しにくく、磁束に対するバリアとなって磁束の通過を妨げる。各結束部位に一番近い全てのスロットに同じ相の巻線が巻かれていると、特定の相に流れる電流が作る磁束に対する磁気抵抗が他の２相が作る磁束に対する磁気抵抗よりも増加する。このため、３相コイルのインダクタンスが同じ値とならず、インダクタンスに不平衡が生ずる。３相コイルのインダクタンスに不平衡が生ずると、例えば、Δ接続した電機子コイルに循環電流が流れて回転電機の性能が低下する。
【００５６】
３相コイルのインダクタンスを平衡させるには、Ｕ相、Ｖ相、Ｗ相を形成するコイルがバランス良く結束部位に近接する、即ち、結束部位に近接するＵ相、Ｖ相、Ｗ相のコイル数が同じになるようにすればよい。そのように配置できれば、３相コイルに与える結束部位の影響が等しくなってインダクタンスは平衡する。
【００５７】
しかしながら、そのように結束部位に３相のコイルを同じ数だけ近接させることができ、且つ第１の実施形態で説明したように隣り合う結束部位間の閉ループ電流経路に鎖交する磁束鎖交数の時間変化をゼロとすることができ、加えて十分な結束力も得られるような理想的な結束部位の配置を求めることは不可能である。
【００５８】
本実施形態は、上記のような理想的な結束部位の配置は不可能であることから、その理想状態に準ずる結束部位の配置を提供するものである。図３は、回転子４の磁極数が１０、コイル数（スロット数に等しい）が３０の回転電機１ｂについての前記理想状態に準ずる結束部位の配置を示したものである。結束部位は６個所２２ａ〜２２ｆとし、周方向に等間隔に配置している。
【００５９】
図に示すように、結束部位２２ａに一番近いスロット２３ａから順に左周りにＵ相、Ｖ相、Ｗ相のコイル巻線を巻いたとする。すると、結束部位２２ｂに一番近いスロット２３ｂにはＷ相、結束部位２２ｃに一番近いスロット２３ｃにはＶ相、結束部位２２ｄに一番近いスロット２３ｄにはＵ相、結束部位２２ｅに一番近いスロット２３ｅにはＷ相、結束部位２２ｆに一番近いスロット２３ｆにはＶ相のコイル巻線が巻かれることになる。即ち、Ｕ相、Ｖ相、Ｗ相を形成するコイルは、各２個ずつが結束部位に一番近いスロットに巻かれる。このようにすると、Ｕ相、Ｖ相、Ｗ相を流れる電流が作る磁束に対する磁気抵抗は同じ値となるため、各相コイルのインダクタンスは同じ値となり不平衡は生じなくなる。
【００６０】
次に、隣り合う結束部位間に形成される閉ループ電流経路に鎖交する磁束鎖交数について検討すると、隣り合う結束部位間がなす中心角（６０°）の間には回転子の磁極が１０／６＝１．６７個存在する。磁極数は、理想形態である第１の実施形態の場合のように２の倍数にはなっていない。従って、各隣り合う結束部位間の磁束分布は同じとはならず、磁束鎖交数に時間変化が生じて閉ループ電流経路にうず電流が流れることになる。しかし、磁極数１．６７は、理想的な数である２．０に近い数値であるため磁束分布はかなり類似したものとなる。このため、閉ループ電流経路に鎖交する磁束鎖交数の絶対数は少なくなるため、発生するうず電流は少ない値となる。
【００６１】
このようなことから、図３に示したような回転子磁極数が１０、コイル数（スロット数に等しい）が３０の回転電機１ｂについては、結束部位を６個所としてそれらを周方向に等間隔に配置すればうず電流の発生を少なくし、且つ３相コイルのインダクタンスを平衡させることができる。
【００６２】
（第３の実施形態）
本実施形態は、前記第２の実施形態と同様に理想的な結束部位の配置、即ち、３相コイルのインダクタンスが平衡し、且つうず電流も発生しない理想状態に準ずる結束部位の配置についての別の実施形態を提供するものである。図４は、回転子４の磁極数が２０、コイル数（スロット数に等しい）が６０の回転電機１ｃについての前記理想状態に準ずる結束部位の配置を示したものである。結束部位は１２個所２５ａ〜２５ｌとし、周方向に等間隔に配置してある。
【００６３】
図に示すように、結束部位２５ａに一番近いスロット２６ａから順に左周りにＵ相、Ｖ相、Ｗ相のコイル巻線の巻いたとする。すると、各結束部位２５ａ、２５ｂ、２５ｃ、２５ｄ、２５ｅ、２５ｆ、２５ｇ、２５ｈ、２５ｉ、２５ｊ、２５ｋ、２５ｌに一番近いスロットには、順にＵ相、Ｗ相、Ｖ相、Ｕ相、Ｗ相、Ｖ相、Ｕ相、Ｗ相、Ｖ相、Ｕ相、Ｗ相、Ｖ相のコイル巻線が巻かれることになる。即ち、Ｕ相、Ｖ相、Ｗ相を形成するコイルは、各４個ずつが結束部位に一番近いスロットに巻かれる。従って、Ｕ相、Ｖ相、Ｗ相を流れる電流が作る磁束に対する磁気抵抗は同じ値となるため、各相コイルのインダクタンスは同じ値となり不平衡は生じなくなる。
【００６４】
次に、隣り合うに結束部位間に形成される閉ループ電流経路に鎖交する磁束鎖交数について検討すると、隣り合う結束部位間がなす中心角（３０°）の間には回転子４の磁極が２０／１２＝１．６７個存在する。磁極数は、理想形態である第１の実施形態の場合のように２の倍数にはなっていない。従って、各隣り合う結束部位間の磁束分布は同じとはならず、磁束鎖交数に時間変化が生じてうず電流が発生することになる。しかし、磁極数１．６７は、理想的な数である２．０に近い数値であるため磁束分布はかなり類似したものとなる。このため、閉ループ電流経路に鎖交する磁束鎖交数の絶対数は少なくなるため、発生するうず電流は少ない値となる。
【００６５】
このようなことから、図４に示したような回転子磁極数が２０、コイル数（スロット数に等しい）が６０の回転電機１ｃについては、結束部位を１２個所としてそれらを周方向に等間隔に配置すればうず電流の発生を少なくし、且つ３相コイルのインダクタンスを平衡させることができる。
【００６６】
（第４の実施形態）
本実施形態も、前記第２の実施形態と同様に理想的な結束部位の配置、即ち、３相コイルのインダクタンスが平衡し、且つうず電流も発生しない理想状態に準ずる結束部位の配置についての別の実施形態を提供するものである。図５は、回転子４の磁極数が１４、コイル数（スロット数に等しい）が４２の回転電機１ｄについての前記理想状態に準ずる結束部位の配置を示したものである。結束部位は６個所２８ａ〜２８ｆとし、周方向に等間隔に配置してある。
【００６７】
図に示すように、結束部位２８ａに一番近いスロット２９ａから順に左周りにＵ相、Ｖ相、Ｗ相のコイル巻線の巻いたとする。すると、各結束部位２８ａ、２８ｂ、２８ｃ、２８ｄ、２８ｅ、２８ｆに一番近いスロットには、順にＵ相、Ｖ相、Ｗ相、Ｕ相、Ｖ相、Ｗ相のコイル巻線が巻かれることになる。即ち、Ｕ相、Ｖ相、Ｗ相を形成するコイルは、各２個ずつが結束部位に一番近いスロットに巻かれる。従って、Ｕ相、Ｖ相、Ｗ相を流れる電流が作る磁束に対する磁気抵抗は同じ値となるため、各相コイルのインダクタンスは同じ値となり不平衡は生じなくなる。
【００６８】
次に、隣り合うに結束部位間に形成される閉ループ電流経路に鎖交する磁束鎖交数について検討すると、隣り合う結束部位間がなす中心角（６０°）の間には回転子４の磁極が１４／６＝２．３３個存在する。磁極数は、理想形態である第１の実施形態の場合のように２の倍数にはなっていない。従って、各隣り合う結束部位間の磁束分布は同じとはならず、磁束鎖交数に時間変化が生じてうず電流が発生することになる。しかし、磁極数２．３３は、理想的な数である２．０に近い数値であるため磁束分布はかなり類似したものとなる。このため、閉ループ電流経路に鎖交する磁束鎖交数の絶対数は少なくなるため、発生するうず電流は少ない値となる。
【００６９】
このようなことから、図５に示したような回転子磁極数が１４、コイル数（スロット数に等しい）が４２の回転電機１ｄについては、結束部位を６個所としてそれらを周方向に等間隔に配置すれば、うず電流の発生を少なくし、且つ３相コイルのインダクタンスを平衡させることができる。
【００７０】
（第５の実施形態）
前記第１〜第４の各実施形態における結束部位の数及びその位置は、各実施形態において説明したように回転子の磁極数と固定子鉄心に設けるスロットの数との関係による一定の制約を受ける。従って、その数や位置は結束力を考慮して任意には変更できないため、固定子鉄心の大きさ、モータの組み付け、運転時の加速度等によっては結束力が不足する場合が生ずる。本実施形態は、そのような場合に、制約条件は守ったまま結束力を更に強くするための補助の結束を行なうことに関するものである。
【００７１】
図６は、第２の実施形態で説明した図３の回転電機１ｂに、本実施形態の補助の結束を施した回転電機１ｅの断面図である。補助の結束は、６個存在する結束部位２２ａ〜２２ｆの各隣り合う結束部位の中間位置に施している。補助の結束部位３１ａ〜３１ｆは、隣り合う結束部位間の中間位置の外周面近くに周方向に延びる周方向スリット３２を軸方向に貫通して設け、その周方向スリット３２内に磁性を有する剛体板３３を軸方向に貫通して圧入したものである。剛体板３３の軸方向長さは、固定子鉄心９の軸方向長さと同じにしてある。
【００７２】
圧入した剛体板３３は、剛体板表面とスリット内面との摩擦により固定子鉄心９の結束力を高め、変形を防止する効果を発揮する。周方向スリット３２は周方向に長く、径方向には短くしてあり、圧入する剛体板３３には磁性を有する材料を使用している。このため、剛体板３３を圧入した補助の結束部位３１ａ〜３１ｅは、周方向に流れる磁束の妨げにはならない。
【００７３】
主たる結束部位である６個の結束部位２２ａ〜２２ｆは、第２の実施形態で説明した制約条件を満たしている。こうしたことから本実施形態の回転電機１ｅは、うず電流の発生が少なく、３相コイルのインダクタンスが平衡し、且つ強い結束力が得られる効果を奏する。
なお、上記説明では第２の実施形態で説明した図３の回転電機１ｂに適用した例を取りあげたが、前記第１〜第４の各実施形態で説明した回転電機にも同様の補助の結束を行なえることは明らかである。
【００７４】
（第６の実施形態）
本実施形態は、前記第５の実施形態の変形実施形態であり、前記補助の結束部位における結束強度の一層の強化を図ったものである。図７は、本実施形態の補助の結束部位３１に設けた周方向スリット３２の縦断面を示したものである。周方向スリット３２に圧入する剛体板３３の長さを、固定子鉄心９の軸方向長さより長くして両端面よりはみ出させ、はみ出させた部分を折り曲げて固定子鉄心９の両端面に密着させている。
【００７５】
積層する固定子鉄心片１３が薄い場合には、一枚一枚の剛性が弱いため積層した最外層の鉄心片にたわみ、めくれ、積層方向への逃げなどが生じ易い。本実施形態は、固定子鉄心片１３が薄い場合に生ずるそうした不具合に対処するため、剛体板３３の両端を折り曲げて面圧を積層方向に加えている。これにより、固定子鉄心片１３が薄い場合においても、十分な結束力を確保することができる。
【００７６】
（第７の実施形態）
本実施形態は、前記第６の実施形態における補助の結束部位における結束力の更なる強化を図ったものである。図８に示すように、固定子鉄心９の両端面位置に積層した固定子鉄心片（最外層の固定子鉄心片）１３ａの板厚を、他の層の固定子鉄心片より厚くしてある。
【００７７】
このように最外層の固定子鉄心片１３ａの板厚を厚くしておけば、最外層の鉄心片のたわみ、めくれ、積層方向への逃げなどを防止することができる。また、最外層の板厚が厚いため、中間層には極めて薄い固定子鉄心片を使用することができる。そのように極めて薄い固定子鉄心片を使用することができれば、うず電流損失を一層減少させることが可能となる。
【００７８】
（第８の実施形態）
前記第１〜第７の各実施形態においては、結束部位の数及びその位置を回転子の磁極数と固定子鉄心に設けるスロットの数との関係で決定した。そして、それにより隣り合う結束部位間に形成される閉ループ電流経路に鎖交する磁束鎖交数の時間変化を少なくし、うず電流の発生を抑えた。
【００７９】
しかし、そのように結束部位の数と位置とを磁極数とスロット数に関係付けなくても、隣り合う結束部位間に形成される閉ループ電流経路に鎖交する磁束鎖交数そのものを少なくすることができればうず電流の発生を抑えることができる。
【００８０】
第１の実施形態で説明したように、隣り合う結束部位間に形成される閉ループ電流経路に鎖交する磁束は、図１の結束部位１５ａ、１５ｂに存在する軸方向の短絡経路（例えば、パイプかしめにおけるパイプ）を一周する磁路の磁束のみである。この結束部位における軸方向の短絡経路を一周する磁束の大部分は、各結束部位外周面と固定子鉄心９の外周面との間の鉄心部分を通過する磁束である。従って、結束部位１５ａ、１５ｂの外側部分の鉄心を通過する磁束数を少なくすれば、うず電流の発生を少なくすることができる。
【００８１】
以下に説明する数種類の構成は、このような考えに基づいてうず電流の発生を少なくしようとするものである。図９は、結束部位３７と固定子鉄心９の外周面との中間部分に径方向に延びる径方向スリット３９を軸方向に貫通して設けたものである。径方向スリット３９内の空隙は透磁率が低いため磁気抵抗が大きく、磁束の通過を妨げる。これにより結束部位３７を一周する磁束は少なくなり、隣り合う結束部位間に形成される閉ループ電流経路に鎖交する磁束が減少してうず電流の発生が少なくなる。
【００８２】
図１０は、図９における径方向スリット３９の内部に非磁性の剛体板４０を軸方向に貫通して圧入したものである。圧入は、剛体板４０の厚みを径方向スリット３９の厚みより僅かに厚く形成しておいて行なう。圧入した剛体板４０は、剛体板表面とスリット内面との摩擦により固定子鉄心９の結束力を高め、変形を防止する効果を発揮する。
【００８３】
剛体板４０には非磁性の材料、例えば１６−６ステンレス、ガラス積層体等を使用する。このような非磁性材料を使用すれば、剛体板４０を圧入した径方向スリット３９は磁気抵抗が大きくなって磁束の通過を妨げる。従って、隣り合う結束部位間に形成される閉ループ電流経路に鎖交する磁束が減少してうず電流の発生が少なくなる効果がもたらされる。
【００８４】
図１１、図１２は、図１０に示した径方向スリット３９に剛体板４０を圧入する実施形態を変形したものである。この実施形態は径方向スリット３９の断面形状を図１１に示すように固定子鉄心９の外周面側が丸みを帯びた形状とし、長手方向幅を径方向スリット３９の矩形断面部の長手方向長さより長くした非磁性の剛体板４０を圧入したものである。図１２は圧入後の状態を示している。剛体板４０の厚みは、径方向スリット３９の幅より若干薄くしておくと圧入し易い。
【００８５】
圧入された剛体板４０は、径方向スリット３９と固定子鉄心９の外周面間に残る鉄心部分（架橋部）４１を押し曲げてスリット幅を収縮させ、剛体板４０と固定子鉄心９とを密着させる。その結果、剛体板表面とスリット内面との摩擦により固定子鉄心９の結束力が強まり、変形が防止される効果を発揮する。
【００８６】
剛体板４０には非磁性の材料を使用するので、剛体板４０を圧入した径方向スリット３９は磁気抵抗が大きくなって磁束の通過を妨げる。従って、隣り合う結束部位間に形成される閉ループ電流経路に鎖交する磁束が減少してうず電流の発生が少なくなる効果がもたらされる。
【００８７】
なお、剛体板４０を圧入する前の架橋部４１は、図１１に示すように固定子鉄心９の外周面側が内側に凹ませて形成してある。これは剛体板４０を圧入した際に、架橋部４１が外側に変形して固定子鉄心９の外周面から飛び出るのを防止するためである。飛び出しがあると固定子鉄心９の外周面が揃わず、フレームへの組み込みに支障をきたす。
【００８８】
図１３、図１４は、前述した図９の構成を変形した実施形態である。この実施形態では径方向スリット３９を図１３に示すように固定子鉄心９の外周面に達する開放スリットに形成する。そして、その開放部を塞ぐように開放部両側の鉄心部間に溶接を行なって架橋部４１を設ける。図１４は溶接後の状態を示している。
【００８９】
溶接により径方向スリット３９の端部及びその周辺部の鉄心が溶融収縮するため、強度が向上するとともにメインの結束部位３７に収縮応力を発生させてその結束力を強くする効果を発揮する。溶接により径方向スリット３９の開放部を塞いで架橋部４１を形成する場合、図１３に示すように径方向スリット３９の開放部幅を狭くしたり、径方向スリット３９の開放部両端鉄心部に外周面側に凸形となる突起４２を形成したりしておくとよい。そうしておけば架橋部４１の鉄量（ビード）を確保できるため溶接時の鉄心の収縮による変形を低減でき、適正な寸法、形状、そして鉄心の良好な磁気特性を確保することができる。
【００９０】
この実施形態の場合も径方向スリット３９内の透磁率の低い空隙が磁束の通過を妨げる。従って、結束部位３７を一周する磁束が少なくなり、隣り合う結束部位間に形成される閉ループ電流経路に鎖交する磁束が減少してうず電流の発生が少なくなる効果がもたらされる。
【００９１】
図１５、図１６は、前述した図１３、図１４の更なる変形実施形態である。この実施形態では、径方向スリット３９を固定子鉄心９の外周面に達する開放スリットに形成し、そこに非磁性の剛体板４０を軸方向に貫通して装着する。その後で、その剛体板４０の固定子鉄心外周側端部と径方向スリット３９の開放部両側の鉄心部とを一体に溶接する。
【００９２】
図１５は溶接前の状態で、開放スリットに形成した径方向スリット３９に非磁性の剛体板４０を軸方向に貫通して装着した状態を示している。剛体板４０は、径方向スリット３９の開放部より端部が少しはみ出る長さに形成しておく。溶接は、そのはみ出した部分と径方向スリット３９の開放部両側の鉄心部間とを一体にするように施す。図１６は溶接後の状態を示している。
【００９３】
溶接により剛体板４０のはみ出した部分と鉄心部分とが一体となって溶融収縮する。これにより強度が向上するとともにメインの結束部位３７に収縮応力が発生して結束力が更に強化される効果が得られる。図１５に示す溶接前の状態では、径方向スリット３９の開放端と剛体板４０のはみ出した部分の端面とを固定子鉄心９の外周面より内側に逃がしてあるが、これは溶接ビードが固定子鉄心９の外周面から飛び出るのを防止するためである。飛び出しがあると固定子鉄心９の外周面が揃わず、フレームへの組み込みに支障をきたす場合があるからである。
【００９４】
この実施形態の場合も径方向スリット３９に挿入する剛体板４０には非磁性の材料を使用するので、溶接後の径方向スリット３９は磁気抵抗が大きくなって磁束の通過を妨げる。従って、隣り合う結束部位間に形成される閉ループ電流経路に鎖交する磁束が減少し、うず電流の発生が少なくなる効果がもたらされる。
【図面の簡単な説明】
【００９５】
【図１】第１の実施形態に係る回転電機１の軸芯２に直角な断面図である。
【図２】回転子４の磁極数が６個の回転電機１ａについてのうず電流の発生が少なくなる結束部位１５ａ、１５ｂの配置例である。
【図３】回転子４の磁極数が１０、スロット数が３０の回転電機１ｂについての理想状態に準ずる結束部位２０ａ〜２０ｆの配置例である。
【図４】回転子４の磁極数が２０、スロット数が６０の回転電機１ｃについての理想状態に準ずる結束部位２５ａ〜２５ｌの配置例である。
【図５】回転子４の磁極数が１４、スロット数が４２の回転電機１ｄについての理想状態に準ずる結束部位２８ａ〜２８ｆの配置例である。
【図６】補助の結束を施した回転電機１ｅの断面図である。
【図７】補助の結束部位３１に設けた周方向スリット３２の縦断面である。
【図８】固定子鉄心９の両端面位置に積層した固定子鉄心片１３ａの板厚を他の層の固定子鉄心片より厚くした例である。
【図９】結束部位３７と固定子鉄心９の外周面との中間部分に径方向に延びる径方向スリット３９を設けた例である。
【図１０】図９における径方向スリット３９の内部に非磁性の剛体板４０を軸方向に貫通して圧入した例である。
【図１１】長手方向幅を径方向スリット３９の矩形断面部の長手方向長さより長くした非磁性の剛体板４０を圧入する前の状態を示す図である。
【図１２】図１１の径方向スリット３９に長手方向幅を径方向スリット３９の矩形断面部の長手方向長さより長くした非磁性の剛体板４０を圧入した後を示す図である。
【図１３】径方向スリット３９を固定子鉄心９の外周面に達する開放スリットに形成した状態を示す図である。
【図１４】図１３に示す径方向スリット３９の開放部を塞ぐように開放部両側の鉄心部間に溶接を行なった後の状態を示す図である。
【図１５】径方向スリット３９を固定子鉄心９の外周面に達する開放スリットに形成して非磁性の剛体板４０を軸方向に貫通して装着した状態を示す図である。
【図１６】図１５に示す剛体板４０の固定子鉄心９外周側端部と径方向スリット３９の開放部両側の鉄心部とを一体に溶接した後の状態を示す図である。
【図１７】従来技術に係る図１相当図である。
【符号の説明】
【００９６】
図面中、１、１ａ、１ｂ、１ｃ、１ｅは回転電機、３は固定子、４は回転子、６は回転子鉄心、７は永久磁石、９は固定子鉄心、１１、１９ａ〜１９ｃ、２３ａ〜２３ｆ、２６ａ〜２６ｌ、２９ａ〜２９ｆはスロット、１３、１３ａは固定子鉄心片、１５ａ、１５ｂ、２０ａ〜２０ｃ、２２ａ〜２２ｆ、２５ａ〜２５ｌ、２８ａ〜２８ｆは結束部位、３１、３１ａ〜３１ｆは補助の結束部位、３２は周方向スリット、３３、４０は剛体板、３９は径方向スリット、４１は架橋部を示す。
【図１】
2007236067.tif 000003
【図２】
2007236067.tif 000004
【図３】
2007236067.tif 000005
【図４】
2007236067.tif 000006
【図５】
2007236067.tif 000007
【図６】
2007236067.tif 000008
【図７】
2007236067.tif 000009
【図８】
2007236067.tif 000010
【図９】
2007236067.tif 000011
【図１０】
2007236067.tif 000012
【図１１】
2007236067.tif 000013
【図１２】
2007236067.tif 000014
【図１３】
2007236067.tif 000015
【図１４】
2007236067.tif 000016
【図１５】
2007236067.tif 000017
【図１６】
2007236067.tif 000018
【図１７】
2007236067.tif 000019